(57)【要約】【課題】毛髪を効率良く吸引することのできる吸引式ヘアブラシを提供する。【解決手段】中空の吸引式ヘアブラシ１０は、持ち手部１３と、持ち手部１３から延びるヘッド部１４とを備える。ヘッド部１４は、ヘッド部１４が延びる第１方向Ｄ１に等間隔で設けられ、第１方向Ｄ１と直交する第２方向Ｄ２に延びるスリット状の複数の吸引口１１と、吸引口１１を取り囲む複数のピン１５とを有する。複数のピン１５には、吸引口１１の第２方向Ｄ２の両端側のそれぞれに設けられる端部ピン１５Ａが含まれる。【選択図】図１
2015196003.tif 000002
【特許請求の範囲】
【請求項１】
持ち手部と、前記持ち手部から延びるヘッド部とを備える中空の吸引式ヘアブラシであって、
前記ヘッド部は、前記ヘッド部が延びる第１方向に等間隔で設けられ、前記第１方向と直交する第２方向に延びるスリット状の複数の吸引口と、前記吸引口を取り囲む複数のピンとを有し、
前記複数のピンには、前記吸引口の前記第２方向の両端側のそれぞれに設けられる端部ピンが含まれることを特徴とする吸引式ヘアブラシ。
【請求項２】
請求項１記載の吸引式ヘアブラシにおいて、
前記端部ピンの太さが、前記吸引口の前記第１方向の幅よりも小さいことを特徴とする吸引式ヘアブラシ。
【請求項３】
請求項１または２記載の吸引式ヘアブラシにおいて、
前記吸引口の前記第２方向の両端側では、前記端部ピンと、該端部ピンに隣接する前記ピンとの配置が、千鳥配置であることを特徴とする吸引式ヘアブラシ。
【請求項４】
請求項１、２または３記載の吸引式ヘアブラシにおいて、
前記複数のピンが、互いに平行して起立していることを特徴とする吸引式ヘアブラシ。
【発明の詳細な説明】
【技術分野】
【０００１】
本発明は、吸引式ヘアブラシに適用して有効な技術に関する。
【背景技術】
【０００２】
特開平１０−２５７９２３号公報（以下、「特許文献１」という。）には、吸引式ヘアブラシに関する技術が記載されている。
【先行技術文献】
【特許文献】
【０００３】
【特許文献１】特開平１０−２５７９２３号公報
【発明の概要】
【発明が解決しようとする課題】
【０００４】
特許文献１に記載のように、単に、整髪部（本発明のパネル部に相当する）に吸引口を設けただけでは、ブラシの毛（本発明のピンに相当する）に絡まった抜けた髪の毛を効率良く吸引することはできないものと考えられる。
【０００５】
本発明の目的は、抜け毛を効率良く吸引することのできる吸引式ヘアブラシを提供することにある。本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。
【０００７】
本発明の一実施形態における吸引式ヘアブラシは、持ち手部と、前記持ち手部から延びるヘッド部とを備える中空の吸引式ヘアブラシであって、前記ヘッド部は、前記ヘッド部が延びる第１方向に等間隔で設けられ、前記第１方向と直交する第２方向に延びるスリット状の複数の吸引口と、前記吸引口を取り囲む複数のピンとを有し、前記複数のピンには、前記吸引口の前記第２方向の両端側のそれぞれに設けられる端部ピンが含まれることを特徴とする。
【０００８】
これによれば、持ち手部で吸引式ヘアブラシを持った使用者は、第２方向で自身の髪の毛をブラッシングし（梳かし）易くなる。このため、ブラッシングによって最初に抜け毛が端部ピンに絡み易くなる。そして、吸引式ヘアブラシの第２方向（ブラッシング方向）への移動によってその抜け毛が第２方向に延びるように整えられ、第２方向に延びるスリット状の吸引口でその抜け毛が吸引され易くなる。また、吸引口をピンで取り囲むことによって、吸引口に抜け毛が吸い込まれ易い環境ができ、具体的には、吸い込み風速が増加され、吸引性能が向上する。したがって、抜け毛を効率良く吸引することができる。
【０００９】
前記一実施形態における吸引式ヘアブラシにおいて、前記端部ピンの太さが、前記吸引口の前記第１方向の幅よりも小さいことが好ましい。
【００１０】
これによれば、端部ピンによって抜け毛が第２方向に延びるように整えられた傍から、その抜け毛を吸引口で吸引し易くなり、毛髪をより効率良く吸引することができる。
【００１１】
また、前記一実施形態における吸引式ヘアブラシにおいて、前記吸引口の前記第２方向の両端側では、前記端部ピンと、該端部ピンに隣接する前記ピンとの配置が、千鳥配置であることが好ましい。
【００１２】
これによれば、端部ピンに隣接するピンを補助ピンとして用い、抜け毛を端部ピンや補助ピンに絡み易くして、ブラッシング動作によってその抜け毛を吸引口で吸引され易くしている。すなわち、抜け毛をより効率良く吸引することができる。
【００１３】
また、前記一実施形態における吸引式ヘアブラシにおいて、前記複数のピンが、互いに平行して起立していることが好ましい。
【００１４】
これによれば、吸引口を取り囲む複数のピンの先端で形成される吸引空間の面積が、吸引口の開口面積よりも若干広くなる程度に抑えることができ、吸引性能が低下するのを防止することができる。
【発明の効果】
【００１５】
本願において開示される発明のうち、代表的なものによって得られる効果を簡単に説明すれば次のとおりである。
【００１６】
本発明の一実施形態における吸引式ヘアブラシによれば、抜け毛を効率良く吸引することができる。
【図面の簡単な説明】
【００１７】
【図１】本発明の一実施形態における吸引式ヘアブラシの正面図である。
【図２】図１に示す吸引式ヘアブラシの側面図である。
【図３】図１のＡ−Ａ線に示す吸引式ヘアブラシの断面図である。
【図４】図１のＢ−Ｂ線に示す吸引式ヘアブラシの断面図である。
【図５】図１に示す吸引式ヘアブラシの底面図である。
【図６】図１に示す吸引式ヘアブラシの平面図である。
【図７】図１に示す吸引式ヘアブラシを備えた吸引装置を説明するための図である。
【発明を実施するための形態】
【００１８】
以下の本発明における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。
【００１９】
また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００２０】
（吸引装置）
本発明の実施形態における吸引式ヘアブラシ１０を備えた吸引装置１００について、主に、図７を参照して説明する。図７は、吸引式ヘアブラシ１０が取り付けられた吸引装置１００を説明するための図である。
【００２１】
吸引装置１００は、図７に示すように、本体部１０１と、本体部１０１に取り付けられた吸引ホース１０２と、吸引ホース１０２の先端部に取り付けられた吸引式ヘアブラシ１０とを備える。吸引式ヘアブラシ１０と吸引ホース１０２の先端部（一端部）の接続、および吸引ホース１０２の基幹部（他端部）と本体部１０１の接続は、例えば、ワンタッチ式で着脱可能となっている。
【００２２】
吸引式ヘアブラシ１０は、内部が中空となっており、その内部を開口する複数の吸引口１１（図１参照）を有する。吸引式ヘアブラシ１０の内部と本体部１０１の筐体内部（吸気口）とは、吸引ホース１０２を介して連通している。
【００２３】
吸引装置１００の本体部１０１は、電動ファン１０３および通気性を有する吸引パック１０４を備える。図７では、説明を明解にするために、本体部１０１内部を透視して、電動ファン１０３、吸引パック１０４を示している。
【００２４】
本体部１０１は、吸気口を有する。また、吸引パック１０４は、パック口を有する。本体部１０１の吸気口に吸引パック１０４のパック口が取り付けられる。また、本体部１０１は、図示しない排気口を有する。電動ファン１０３の駆動によって本体部１０１の内部から排気口を介して外部へエアが排気される。
【００２５】
このように各部品が取り付けられた吸引装置１００では、電動ファン１０３を駆動させて吸引力を発生させ、吸引式ヘアブラシ１０から、エアと共にゴミ（主に、抜け毛）を吸引することができる。このエアは排気口から排気され、抜け毛は吸引ホース１０２を介して吸引パック１０４に集められる。
【００２６】
なお、吸引装置１００は、その用途や能力などによって、設置型やポータブル型の形態をとることができる。設置型の場合は、本体部１０１を床に設置したり、壁に設置したりすることができる。
【００２７】
（吸引式ヘアブラシ）
本発明の実施形態における吸引式ヘアブラシ１０について、主に、図１〜図６を参照して説明する。図１は、吸引式ヘアブラシ１０の正面図である。図２は、吸引式ヘアブラシ１０の側面図（左右側面は対称）である。図３は、図１のＡ−Ａ線に示す吸引式ヘアブラシ１０の断面図である。図４は、図１のＢ−Ｂ線に示す吸引式ヘアブラシ１０の断面図である。図５は、吸引式ヘアブラシ１０の底面図である。図６は、吸引式ヘアブラシ１０の平面図である。
【００２８】
吸引式ヘアブラシ１０は、図１、図２に示すように、吸引ホース１０２（図７参照）との接続部１２と、接続部１２から延びる持ち手部１３と、持ち手部１３から延びるヘッド部１４とを備える。この吸引式ヘアブラシ１０は、図３、図４、図５に示すように、内部１０ａが中空となっている。吸引式ヘアブラシ１０は、持ち手部１３側の接続部１２で吸引ホース１０２を介して吸引装置１００（本体部１０１）に取り付けられる。
【００２９】
吸引式ヘアブラシ１０のヘッド部１４は、ヘッド部１４が延びる第１方向Ｄ１に等間隔で設けられ、第１方向Ｄ１と直交する第２方向Ｄ２に延びるスリット状の複数（図１では、７個）の吸引口１１と、複数の吸引口１１を取り囲む複数（図１では、５４個）のピン１５とを備える。１個の吸引口１１は１２個のピン１５で取り囲まれ、隣接する吸引口１１間ではピン１５が重複して用いられている。吸引式ヘアブラシ１０は、ピン１５によって髪の毛をブラッシングし（梳かし）、その際に吸引口１１によって抜け毛を吸引する。
【００３０】
吸引口１１は、例えば、第１方向Ｄ１の幅が４ｍｍ程度、第２方向Ｄ２の長さが３０ｍｍ程度で、その長さと幅の比が７．５程度の大きさである。吸引口１１の第２方向Ｄ２の両端は、円弧（半円状）を有するように形成されている。この円弧によって、吸引口１１の両端で抜け毛が引っ掛かり、吸引の妨げとならないようにしている。
【００３１】
また、ピン１５は、ヘッド部１４の表面から起立して円錐状に形成されている。ピン１５は、例えば、長さが１７．５ｍｍ程度、先端の直径が１ｍｍ程度、根元の直径が３ｍｍ程度の大きさである。ピン１５が円錐状となることで、抜け毛を吸引口１１側へ導き易くなる。
【００３２】
また、ピン１５の先端が丸みを帯びた形状に形成されている。これにより、例えば頭皮に対してピン１５の先端が滑らかに接することとなる。なお、例えば直径２ｍｍ程度の球体（例えばゴム系の樹脂材料からなるもの）をピン１５の先端に取り付けてもよい。
【００３３】
また、ピン１５の根元では、図６に示すように、裾野のように曲面を有するように形成されている。この曲面によって、ピン１５の強度を確保している。そして、これら複数のピン１５には、吸引口１１の第２方向Ｄ２の両端側のそれぞれに設けられる端部ピン１５Ａが含まれる。
【００３４】
このように構成される吸引式ヘアブラシ１０によれば、持ち手部１３で吸引式ヘアブラシ１０を持った使用者は、進行方向となる第２方向Ｄ２で自身の髪の毛をブラッシングし（梳かし）易くなる。このため、ブラッシングによって最初に抜け毛が端部ピン１５Ａに絡み易くなる。そして、吸引式ヘアブラシ１０の第２方向Ｄ２（ブラッシング方向）によってその抜け毛が第２方向Ｄ２に延びるように整えられ、第２方向Ｄ２に延びるスリット状の吸引口１１でその抜け毛が吸引され易くなる。すなわち、抜け毛を効率良く吸引することができる。また、吸引口１１をピン１５で取り囲むことによって、吸引口１１に抜け毛が吸い込まれ易い環境ができ、具体的には、吸い込み風速が増加され、吸引性能が向上している。
【００３５】
また、吸引式ヘアブラシ１０では、端部ピン１５Ａの太さを、吸引口１１の第１方向Ｄ１の幅よりも小さい（細い）。これによれば、端部ピン１５Ａによって抜け毛が第２方向Ｄ２に延びるように整えられた傍から、その抜け毛を吸引口１１で吸引し易くなり、毛髪をより効率良く吸引することができる。なお、本実施形態では、端部ピン１５を含むすべてのピン１５の形状が同じであるため、すべてのピン１５の太さが吸引口１１の幅よりも小さい。
【００３６】
また、吸引式ヘアブラシ１０では、吸引口１１の第２方向Ｄ２の両端側において、端部ピン１５Ａと、端部ピン１５Ａに隣接するピン１５との配置を千鳥配置としている。これによれば、端部ピン１５Ａに隣接するピン１５を補助ピン１５Ｂとして用い、抜け毛を端部ピン１５Ａや補助ピン１５Ｂに絡み易くして、ブラッシング動作によってその抜け毛を吸引口１１で吸引され易くしている。すなわち、抜け毛をより効率良く吸引することができる。
【００３７】
ところで、吸引式ヘアブラシ１０では、ヘッド部１４の一部を着脱可能なパネル部１６としている。このパネル部１６には、複数の吸引口１１および複数のピン１５が設けられる。本実施形態では、パネル部１６とこの表面（パネル面）から起立する複数のピン１５は、例えばゴム系の樹脂材料、軟性プラスチックを用いて、一体成形されている。
【００３８】
パネル部１６は、第１方向Ｄ１（パネル部１６の長手方向）の両端に留め部２０、２１を備える（図３参照）。パネル部１６をヘッド部１４本体へ取り付けるには、爪状の留め部２１側からパネル部１６を留めて、断面視Ｕ字状に形成されて弾性作用を有する留め部２０をヘッド部１４の内部１０ａに押し込んでから引っ掛ける。また、取り外すには、取り付けの逆の手順で行えばよい。パネル部１６を着脱可能な構成とすることで、ピン１５が欠けた場合であっても、容易にパネル部１６ごと交換することができる。
【００３９】
また、パネル部１６は、フラットあるいはフラットに近い形（例えば、第２方向Ｄ２にかかるカーブ半径が４００ｍｍ程度）に形成される。これにより、複数のピン１５が互いに平行して起立することとなる。
【００４０】
仮に第２方向Ｄ（パネル部１６の短手方向）に掛かるカーブをきつくした曲面のパネル部１６を形成した場合（特許文献１に記載の技術と同様とした場合）、パネル部１６から起立する複数のピン１５が放射状に広がってしまい、吸引口１１を取り囲むピン１５で形成される吸引空間が大きくなる。吸引空間が大きくなると、吸引性能（吸い込み風速）が低下してしまう。これに対して、パネル部１６をフラットあるいはフラットに近い形とすること、すなわち、複数のピン１５が互いに平行して起立することで、吸引口１１を取り囲むピン１５の先端で形成される吸引空間の面積が、吸引口１１の開口面積よりも若干広くなる程度に抑えることができ、吸引性能が低下するのを防止することができる。
【００４１】
以上、本発明を実施形態に基づき具体的に説明したが、本発明は前記実施形態に限定されるものではなく、その要旨を逸脱しない範囲で種々変更可能であることはいうまでもない。
【００４２】
他の実施形態として、ピンの形状を円柱状とすることも考えられる。これに対して、前記実施形態で説明したように、ピンの形状を円錐状とすることで、抜け毛を掻き出し易くなり、抜け毛をより効率良く吸引することができる。
【００４３】
他の実施形態として、吸引口の幅よりもピンの太さを太く（大きく）することも考えられる。これに対して、前記実施形態で説明したように、吸引口の幅よりもピンの太さを細く（小さく）することで、抜け毛をより効率良く吸引することができる。
【００４４】
他の実施形態として、端部ピンと、該端部ピンに隣接するピン（補助ピン）との配置をストレート配置とすることも考えられる。これに対して、前記実施形態で説明したように、端部ピンと補助ピンとの配置を千鳥配置とすることで、抜け毛を端部ピンや補助ピンに絡み易くして、抜け毛をより効率良く吸引することができる。
【００４５】
前記実施形態として、パネル部とピンとをゴム系の樹脂材料で一体成形する場合について説明した。その一体成形部材に導電性部材を含有させることも考えられる。これにより、パネル部およびピンが静電気除去部材となり、吸引式ヘアブラシは、帯電物の静電気を除去しながら抜け毛を吸引することができる。また、仮にピンが欠けた場合であっても、導電性を有していれば、他のものに混在しても発見しやすくなる。
【符号の説明】
【００４６】
１０：吸引式ヘアブラシ、  １０ａ：内部、  １１：吸引口、
１２：接続部、  １３：持ち手部、  １４：ヘッド部、
１５：ピン、  １５Ａ：端部ピン、  １５Ｂ：補助ピン、
１６：パネル部、  ２０，２１：留め部、  １００：吸引装置、
１０１：本体部、  １０２：吸引ホース、  １０３：電動ファン、
１０４：吸引パック
【図１】
2015196003.tif 000003
【図２】
2015196003.tif 000004
【図３】
2015196003.tif 000005
【図４】
2015196003.tif 000006
【図５】
2015196003.tif 000007
【図６】
2015196003.tif 000008
【図７】
2015196003.tif 000009